(57)【要約】  本発明は、眼科用レンズに係り、その表面上に、無色又は黄色の中心第１領域及び５７０ｎｍ未満の波長を有する可視光を選択的に透過する少なくとも１つの周辺第２領域を有する。【特許請求の範囲】
【請求項１】
眼科用レンズであって、その表面上に、
第１無色又は黄色着色中心領域、及び
５７０ｎｍ未満の波長を有する可視光を選択的に透過する少なくとも１つの第２周辺領域を備えることを特徴とする眼科用レンズ。
【請求項２】
凹面モノフォーカル眼科用レンズであることを特徴とする請求項１に記載の眼科用レンズ。
【請求項３】
前記無色又は黄色着色中心領域が、円形又は楕円形であることを特徴とする請求項１又は２に記載の眼科用レンズ。
【請求項４】
前記無色又は黄色着色中心領域が、前記レンズの光心を中心とすることを特徴とする請求項３に記載の眼科用レンズ。
【請求項５】
前記黄色着色中心領域の直径又は最も大きな寸法が、５から３５ｍｍの間に含まれ、好ましくは、１０から２０ｍｍの間に含まれ、特に、約１５ｍｍであることを特徴とする請求項３又は４に記載の眼科用レンズ。
【請求項６】
前記周辺領域が、異なる色の多数の同心環状領域によって形成され、
前記環状領域が前記中心領域から離れるにつれて短くなる波長の可視光を、各前記環状領域が選択的に透過することを特徴とする請求項１から５のいずれか一項に記載の眼科用レンズ。
【請求項７】
前記周辺領域が、その内部の境界からその周辺の境界にわたり、５７０ｎｍから４００ｎｍの間に含まれる波長の可視光の透過スペクトルの全体を示し、透過される光の波長が次第に減少し、好ましくは、領域の中心から周辺にわたり直線的に減少することを特徴とする請求項１から５のいずれか一項に記載の眼科用レンズ。
【請求項８】
進行性近視の進行を遅らせる又は止めることを目的としたメガネを製造するための請求項１から７のいずれか一項に記載の眼科用レンズの使用。
【請求項９】
進行性近視に苦しむ患者のための、請求項１から７のいずれか一項による少なくとも１つの眼科用レンズを含むメガネの処方を含む進行性近視の処理方法。
【発明の詳細な説明】
【技術分野】
【０００１】
本発明は、進行性近視の処理を対象とした新規なマルチ着色眼科用レンズに関する。
【背景技術】
【０００２】
近視の原因は、遺伝的及び後天的の両方であることが一般的に知られている。
【０００３】
未だに、この原因は完全に理解されていないため、通常、出生時に見られる屈折異常を取り除く傾向がある正視化プロセスは、個人の近視に正確に機能しない。結果として、この機能不良が、軸方向における眼球の過剰生長を引き起こす。
【０００４】
動物に対して行われた研究により、正視化は、眼球が受け取る視覚刺激に対する反応として起こる能動的なプロセスであることが示されている。このプロセスにおいて、光学的なデフォーカシング（ｏｐｔｉｃａｌ  ｄｅｆｏｃｕｓｉｎｇ）が、重要な役割を行いうることを、多くの研究が強く示唆している。これまで、フォーカシングに作用することにより、近視の進行を遅らせることを試みる近視の処理方法が、中心のフォーカシング（ｆｏｃｕｓｉｎｇ）、換言すると、中心窩（ｆｏｖｅａ）上の網膜像のフォーカシングに集中しており、比較的わずかな成功しか得られず、中心領域が、眼球の縦軸内に位置する。
【０００５】
近年、Ｓｍｉｔｈらは、周辺のデフォーカシング、即ち、中心窩を囲む領域における網膜像の不完全なフォーカシングが、近視の発生及び進行の役割を果たし、この領域において標的とされる矯正が、効果的に、近視の進行を遅らせることが出来ることを特許文献１において報告している。本出願において提案される技術的解決法が、既知の方法における、中心の視野に関しての適切な視覚の矯正を提供することを含み、患者に良好な視力を保証するが、わずかに網膜の前方に位置する点において周辺のフォーカシングを得るように周辺の矯正を調節する。
【０００６】
しかしながら、このような異なる矯正は、実施が極めて複雑である。さらに、この矯正は、有効性を得るために、眼球及び矯正デバイスの良好な同軸度（ｃｏａｘｉａｌｉｔｙ）を保証する実施を必要とする。特許文献１において推奨される矯正デバイスは、角膜矯正治療、角膜手術、角膜移植、コンタクトレンズ及び眼内レンズである。また、この文献は、矯正デバイスとしてメガネを想定しているが、これらは、明らかに、本発明の目的に適切でない実施形態を構成する。実際には、メガネのレンズの後方で眼球が移動する場合、眼球及び矯正デバイスの同軸度がずれ、これによって、中心の視野が乱される。
【０００７】
従って、近視の進行を遅らせることを目的とした矯正デバイスに対する要求が未だに存在し、中心の視野に関する良好な視力、及び周辺網膜上又は後者の前方における周辺のフォーカシングの両方を許容するが、その軸と眼球軸のそれとの完全な位置合わせには寄与しない。
【先行技術文献】
【特許文献】
【０００８】
【特許文献１】国際公開２００５／０５５８９１号
【特許文献２】仏国特許出願公開第２８８１２３０号明細書
【特許文献３】国際公開２００６／０７９５６４号
【特許文献４】国際公開２００６／０１３２５０号
【発明の概要】
【課題を解決するための手段】
【０００９】
このようなデバイスを開発するために、出願人は、周知の色収差現象を活用した。色収差は、それを通り抜ける光の波長に応じてレンズを作り上げる材料の屈折率のバリエーションである。これが、波長に応じて変化する焦点距離をもたらし（軸上色収差とも呼ばれる現象）、波長が大きくなるにつれ、焦点（ｆｏｃｕｓｉｎｇ  ｐｏｉｎｔ）がレンズから離れる。
【００１０】
通常、眼球の正視化が、水晶体の眼軸長の結果をもたらし、中心の視野に関し、黄色光の焦点が、本質的に、網膜上に位置し、一方、光の赤の成分の焦点が網膜の後方に生じ、青色光のそれは、わずかに網膜の前方に生じる。換言すると、黄色光（５７０−５９０ｎｍ）の焦点面（ｆｏｃｕｓｉｎｇ  ｐｌａｎｅ）が、中心窩において実質的に網膜を横切り、５９０ｎｍ以上の波長を有する光の焦点面が、網膜の後方に位置し、後者と交差点を有さず、５７０ｎｍ未満の波長の焦点面が、網膜の前方に位置し、中心窩から離れるにつれて光の波長が短くなる同心円領域内に後者を横切る。
【００１１】
本発明の基礎を形成する着想は、その波長に応じて光を選択的にフィルタリングすることによる光学的なデフォーカシングの影響をうける網膜の領域を出来るだけ減らすことであり、網膜の所定の点において、この時点で網膜を横切る焦点面の光のみの眼球への浸入が許容される。換言すると、
−中心窩が、黄色光を受け取り、
−中心窩に直接的に隣接する第１環状領域が、黄色光の波長よりもわずかに短い波長を有する光のみを受け取り、次に、
−第１環状領域に直接的に隣接する第２環状領域が、さらに短い波長などを有する光のみを受け取り、
眼球に浸入する光の波長が短くなるにつれて、周辺領域が、それが網膜と接触する場合に、中心窩を通り抜ける眼球の中心軸から遠ざかる。
【００１２】
この選択的な光のフィルトレーションは、眼球への後者の侵入角に応じたものであり、患者の近視に適合する矯正眼科用レンズ上の着色同心環状領域によって極めて簡単に得られる。
【００１３】
従って、本発明の主題は矯正眼科用レンズであって、その表面上に、第１無色又は黄色中心領域、即ち、５７０ｎｍと５９０ｎｍとの間に含まれる波長の可視光を選択的に透過する第１無色又は黄色着色中心領域、及び、５７０ｎｍ未満の波長を有する光が選択的に通過することを許容する少なくとも１つの周辺第２領域を備える。
【００１４】
また、本発明の主題は、進行性近視の進行を遅らせる又は止めることを目的としたメガネを製造するためのこのような眼科用レンズの使用である。
【００１５】
最後に、本発明の主題は、進行性近視に苦しむ患者のためのものであって、少なくとも１つのこのような眼科用レンズを備えたメガネの処方を含む進行性近視を処理する方法である。
【００１６】
本発明の矯正レンズは、近視用レンズであり、即ち、好ましくは、−０．２５と−１０．００の間に含まれる負のジオプターを有する凹面モノフォーカルレンズである。
【００１７】
黄色着色又は無色領域を記載するために使用された“中心の”という形容詞は、この領域が、本発明による眼科用レンズの光心に対応する位置を占め、好ましくは、この光心を中心とすることを意味する。従って、黄色着色又は無色領域が、本質的に、メガネの着用者の視界によって探索される領域に広がる。
【００１８】
無色又は黄色着色中心領域は、好ましくは、円形又は楕円形である。
【００１９】
有利に、黄色着色又は無色円形領域の直径、又は黄色着色又は無色楕円形領域の最も大きな寸法が、５から３５ｍｍの間に含まれ、好ましくは、１０から２０ｍｍの間、特に、約１５ｍｍである。
【００２０】
上記の無色又は黄色着色円形領域の寸法が、多くのメガネ着用者に対する適切な範囲に対応するが、個人差を考慮したものではない。黄色着色又は無色中心領域の寸法を実際に人の眼球によって探索される領域のそれに制限することは有利である。例えば、視覚挙動の他の研究の関連の中で本出願人によって開発されたビジョンプリントシステム技術（ＶＰＳ）を使用し、中心及び周辺領域の相対的な寸法のこのような最適化を、実行することが可能である。これが、“眼球−頭部運動（ｅｙｅ−ｈｅａｄ  ｂｅｈａｖｉｏｕｒ）”とも呼ばれる、環境の視覚探索における眼球−頭部の調整方法（ｅｙｅ−ｈｅａｄ  ｃｏｏｒｄｉｎａｔｉｏｎ  ｓｔｒａｔｅｇｙ）の個体差の表現を可能にするデバイスを含む。従って、眼球の動きによってというよりはむしろ頭の動きによって、視覚的に物体を追う傾向がある“頭部運動者（ｈｅａｄ  ｍｏｖｅｒｓ）”である個人と、他方では、頭でというよりはむしろ眼球の動きによって、視覚的に物体を追う傾向がある“眼球運動者（ｅｙｅ  ｍｏｖｅｒｓ）”である個人とを定義することが可能である。
【００２１】
従って、メガネ着用者の眼球−頭部運動の判定により、無色又は黄色着色中心領域のサイズを最適化することが可能となる。着用者が、目で確認することによって物体を追うために、それらの眼球というよりはむしろ、それら頭を回転させる傾向がある場合、通常、中心領域が５から１５ｍｍであれば、レンズの全体の視覚領域を覆うのに十分である。反対に、着用者が、目で確認することによって物体を追うために、それらの頭というよりはむしろ、それら眼球を動かす傾向がある場合、レンズの比較的広い領域を覆う黄色又は無色中心領域が必要であり、例えば、領域が、１５から３５ｍｍの間に含まれる直径を有する。
【００２２】
無色又は黄色着色中心領域が、少なくとも１つの周辺領域によって囲まれ、好ましくは、複数の周辺領域によって囲まれ、５７０ｎｍ未満波長を有する光を選択的に透過する。
【００２３】
これらの領域は、環状形であり、１つが他方に対して、又は複数のものが互いに対して、好ましくは同心状である。これらの対称の中心が、好ましくは、レンズの光心上で重なる。
【００２４】
好ましくは、周辺領域が、異なる色の少なくとも２つの領域を含み、さらに優先的には、異なる色の３，４又は５つの領域を含む。実際には、異なる色の領域の数が大きくなるにつれ、中心軸に対する偏心角（ｄｅｃｅｎｔｒｉｎｇ  ａｎｇｌｅ）に応じて透過される光の波長の調節が細かくなり、鮮明な像を受け取る網膜の周辺領域の範囲が大きくなり、即ち、後者に焦点をあわせる。異なる色の環状領域の数が、実際には、レンズの着色方法の複雑さによってのみ制限される。
【００２５】
従って、周辺領域が、好ましくは、異なる色の多数の同心環状領域によって形成される。これらの環状領域のそれぞれが、選択的に、中央領域から離れるにつれて短くなる波長を有する可視光を透過する。従って、中心領域に直接的に隣接した環状領域が、好ましくは、選択的に、５７０ｎｍよりもわずかに短い波長、例えば、５７０から５５０ｎｍの間に含まれる波長を有する光を透過する。第１環状領域の周囲に位置する次の環状領域が、選択的に、５５０ｎｍ未満の波長、例えば、５５０から５３０ｎｍの間等に含まれる波長を有する光を透過する。従って、本発明の眼科用レンズが、例えば、第１緑色着色環状領域、第２青色着色環状領域、及び第３紫色着色環状領域によって囲まれる無色又は黄色中心領域を有することが可能である。異なる環状領域が、互いに同一の又は異なる幅を有することが可能である。
【００２６】
中心領域を囲む環状領域が、好ましくは、５７０から４００ｎｍの間に含まれる全ての可視光スペクトルをカバーする。好ましくは、各環状領域によって選択的に透過される波長の範囲が、全体的に狭くなるにつれ、前記環状領域の幅が小さくなる。
【００２７】
特定の実施形態において、周辺領域が、所定の波長の光をそれぞれ透過する無限の環状領域を含む。この実施形態において、周辺領域が、その内部の境界からその周辺の境界にわたり、５７０ｎｍから４００ｎｍの間に含まれる波長の可視光の透過スペクトルの全体を示し、透過される光の波長が次第に減少し、好ましくは、領域の中心から周辺にわたり直線的に減少する。その結果、周辺領域が、内側から外側に向かって、黄色から紫までの可視スペクトルを通過するリング状の不完全な虹の外観を有しうる。
【００２８】
従って、上記の近視用矯正レンズにより、光学的なデフォーカシングの影響をうける周辺網膜の領域を実質的に減らすことが可能となる。しかしながら、眼球がレンズの後方で移動した場合に、これは、特許文献１において記載された技術的解決法に対し不利な影響を及ぼす視覚のぼやけという欠点を有さない。中心の視野に関する像の明確さを保証するために、実際には、レンズの矯正能力が、表面の色とは無関係に、周知の方法で調節されることが可能である。眼球がレンズの後方で移動し、視界が、中心領域の外側に位置するレンズの領域を探索する場合、眼球が、色の変化のみを認識するが、像の明確さが、原則として阻害されない。
【００２９】
本発明による眼科用レンズを製造することを目的として無機又は有機ガラスから形成された適切な支持体上での着色の使用が、例えばサブリメーション及び／又はインクジェットプリンティングによって行われる。これらの技術が、例えば、本出願人の名義である特許文献２及び特許文献３に記載されている。特許文献４に記載されているような、インクジェットプリンティング技術と併用されるピクセル化膜の基板上における使用を想定することも可能である。
【発明を実施するための形態】
【００３０】
非制限的な方法で本発明の主題を説明する以下の実施例を読むことにより、本発明がさらに理解されうる。
【実施例１】
【００３１】
（インクジェットプリンティングを用いた本発明による眼科用レンズの着色）
４０重量％のアニオン性ポリウレタン（Ｂａｘｅｎｄｅｎによって販売されるＷ２３４）が、磁気かくはん下において、６０重量％のコロイド状シリカ（Ａｌｄｒｉｃｈによって販売されるＬｕｄｏｘ  ＴＭ４０）と混合される。１時間の間かくはんした後、遠心分離（スピンコーティング）によって得られた混合物が、Ｏｒｍａ（登録商標）バイプレイン基板に堆積される（５００回転／２０秒）。堆積物が、オーブン内において１００℃で１時間の間乾燥される。この結果、得られたプライマーの厚さは、３．６μｍである。乾燥後、プライマー及び基板を含む光学レンズが、Ｃａｎｏｎ  ｉ８６５プリンターでプリントされることが可能である。黄色中心領域並びにそれぞれ緑、青及び紫に着色された３つの連続した環状領域が、Ｐｏｗｅｒｐｏｉｎｔ（登録商標）ソフトウェアを使用して描かれる。眼科用レンズが、プリンターのローディングモジュール内に導入され、後者が、Ｐｏｗｅｒｐｏｉｎｔ（登録商標）の“黄色フィルター−３つのカラーフィルター”ファイルを備えたコンピューターに接続される。プリンティングが実行される。レンズがプリンターから離れた場合、即座に、１００℃で１時間の間乾燥される。中心の黄色フィルター並びに緑、青及び紫に着色された３つの周辺フィルターを備えた眼科用レンズが得られる。
【国際調査報告】
2010510536.tif 000002
2010510536.tif 000003
2010510536.tif 000004
2010510536.tif 000005
2010510536.tif 000006
2010510536.tif 000007